(57)【要約】【課題】利用者の希望に合致する情報を過不足なくかつ効率的に利用者に提供することのできるコンテンツ管理装置を提供する。【解決手段】利用者に提供すべき情報を示す複数のコンテンツ要素を含むコンテンツを管理するコンテンツ管理装置１０であって、利用者から前記コンテンツの要求を示すコンテンツ要求情報を取得するコンテンツ要求取得手段１２６と、コンテンツ要求取得手段１２６がコンテンツ要求情報を取得した時点で、コンテンツ要求情報に基づいてコンテンツ要素を抽出するコンテンツ要素抽出手段１１０と、コンテンツ要素抽出手段１１０が抽出したコンテンツ要素から新たなコンテンツを再構成するコンテンツ再構成手段１１４と備えた。【選択図】      図１
2004272662.tif 000002
【特許請求の範囲】
【請求項１】
利用者に提供すべき情報を示す複数のコンテンツ要素を含むコンテンツを管理するコンテンツ管理装置であって、
前記利用者から前記コンテンツの要求を示すコンテンツ要求情報を取得するコンテンツ要求取得手段と、
前記コンテンツ要求取得手段が前記コンテンツ要求情報を取得した時点で、前記コンテンツ要求情報に基づいて前記コンテンツ要素を抽出するコンテンツ要素抽出手段と、
前記コンテンツ要素抽出手段が抽出した前記コンテンツ要素から新たなコンテンツを再構成するコンテンツ再構成手段と
を備えたことを特徴とするコンテンツ管理装置。
【請求項２】
前記コンテンツ要素抽出手段は、互いに異なる複数の前記コンテンツそれぞれから前記コンテンツ要素を抽出することを特徴とする請求項１に記載のコンテンツ管理装置。
【請求項３】
前記コンテンツを格納するコンテンツ格納手段をさらに備え、
前記コンテンツ要素抽出手段は、前記コンテンツ格納手段に格納されている前記コンテンツから前記コンテンツ要素を抽出することを特徴とする請求項１または２に記載のコンテンツ管理装置。
【請求項４】
前記コンテンツ格納手段は、前記コンテンツ要素を、前記コンテンツ要素に関連するコンテンツ関連情報に対応付けて格納し、
前記コンテンツ要素抽出手段は、前記コンテンツ関連情報に基づいて前記コンテンツ要素を抽出することを特徴とする請求項１から３のいずれか一項に記載のコンテンツ管理装置。
【請求項５】
前記コンテンツ格納手段は、前記コンテンツ要素を当該コンテンツ要素が示す内容のジャンルに対応付けて格納し、
前記コンテンツ要素抽出手段は、前記ジャンルに基づいて前記コンテンツ要素を抽出することを特徴とする請求項４に記載のコンテンツ管理装置。
【請求項６】
前記コンテンツ格納手段は、前記コンテンツ要素を当該コンテンツ要素の重要度に対応付けて格納し、
前記コンテンツ要素抽出手段は、前記重要度に基づいて前記コンテンツ要素を抽出することを特徴とする請求項４または５に記載のコンテンツ管理装置。
【請求項７】
前記コンテンツ格納手段は、前記コンテンツ要素を当該コンテンツ要素の人気度に対応付けて格納し、
前記コンテンツ要素抽出手段は、前記人気度に基づいて前記コンテンツ要素を抽出することを特徴とする請求項４から６のいずれか一項に記載のコンテンツ管理装置。
【請求項８】
前記コンテンツ格納手段は、演者を含むデータを前記コンテンツ要素として格納し、かつ前記コンテンツ要素を前記演者の人気度に対応付けて格納し、
前記コンテンツ要素抽出手段は、前記演者の人気度に基づいて前記コンテンツ要素を抽出することを特徴とする請求項４から７のいずれか一項に記載のコンテンツ管理装置。
【請求項９】
前記コンテンツを提供すべき前記利用者を識別する利用者識別情報を取得する利用者識別情報取得手段をさらに備え、
前記コンテンツ要素抽出手段は、前記利用者識別情報取得手段が取得した前記利用者識別情報に対応付けられた利用者関連情報に基づいて前記コンテンツ要素を抽出することを特徴とする請求項４から８のいずれか一項に記載のコンテンツ管理装置。
【請求項１０】
前記コンテンツ要素抽出手段は、前記利用者識別情報に対応付けられた前記利用者の学習レベルに基づいて前記コンテンツ要素を抽出することを特徴とする請求項９に記載のコンテンツ管理装置。
【請求項１１】
前記コンテンツ格納手段は、前記コンテンツ要素を当該コンテンツ要素の更新日時に対応付けて格納し、
前記コンテンツ要素抽出手段は、前記利用者識別情報に、提供済みとして対応付けられた前記コンテンツ要素および提供日時に基づいて、提供日時以降の更新日時に対応付けられているコンテンツ要素を抽出することを特徴とする請求項１０に記載のコンテンツ管理装置。
【請求項１２】
前記コンテンツ要素抽出手段は、前記利用者に既に提供したコンテンツ要素以外のコンテンツ要素を抽出することを特徴とする請求項１から１１のいずれか一項に記載のコンテンツ管理装置。
【請求項１３】
前記コンテンツを利用者に提供する提供手段と、
前記提供手段が前記コンテンツを提供した前記利用者から、提供した前記コンテンツに含まれる前記コンテンツ要素に対する評価を取得する評価取得手段と、前記評価取得手段が取得した評価を、前記コンテンツ要素に対応付けられている前記コンテンツ要素関連情報に反映させる更新手段と
をさらに備えたことを特徴とする請求項４から１２のいずれか一項に記載のコンテンツ管理装置。
【請求項１４】
前記利用者識別情報と、前記利用者関連情報とを対応付けて格納する利用者情報格納手段をさらに備えたことを特徴とする請求項９から１３のいずれか一項に記載のコンテンツ管理装置。
【請求項１５】
前記コンテンツ格納手段は、前記コンテンツ要素を当該コンテンツ要素の更新日時に対応付けて格納し、
前記コンテンツ抽出手段は、前記更新日時に基づいて、前記コンテンツ要素を抽出することを特徴とする請求項１から１４いずれか一項に記載のコンテンツ管理装置。
【請求項１６】
前記コンテンツ格納手段は、前記コンテンツ要素を当該コンテンツ要素の作成日時に対応付けて格納し、
前記コンテンツ要素抽出手段は、前記作成日時に基づいて前記コンテンツ要素を抽出することを特徴とする請求項１から１５のいずれか一項に記載のコンテンツ管理装置。
【請求項１７】
前記コンテンツ格納手段は、動画データおよび音声データのうち少なくともいずれか一方を前記コンテンツ要素とし、前記コンテンツ要素を当該コンテンツ要素の再生時間に対応付けて格納し、
前記コンテンツ要素抽出手段は、前記再生時間および再構成するコンテンツの総再生時間に基づいて、前記コンテンツ要素を抽出することを特徴とする請求項１から１６のいずれか一項に記載のコンテンツ管理装置。
【請求項１８】
前記コンテンツ再構成手段が再構成するコンテンツに含めるべきコンテンツ要素を示す指定情報を利用者から取得する指定取得手段をさらに備え、
前記コンテンツ要素抽出手段は、前記指定取得手段が取得した前記指定情報に示される前記コンテンツ要素を抽出することを特徴とする請求項１から１７のいずれか一項に記載のコンテンツ管理装置。
【請求項１９】
前記コンテンツ再構成手段は、予め定められた構成順に基づいて、前記コンテンツ要素を再構成することを特徴とする請求項１から１８のいずれか一項に記載のコンテンツ管理装置。
【請求項２０】
前記コンテンツ再構成手段は、前記コンテンツ要素が学習に関する内容を示し、前記コンテンツ要素に学習レベルが対応付けられている場合に、前記学習のレベルに基づいて前記コンテンツ要素を再構成することを特徴とする請求項１から１９のいずれか一項に記載のコンテンツ管理装置。
【請求項２１】
前記コンテンツ再構成手段が再構成すべき前記コンテンツ要素同士の類似度を判断する類似度判断手段をさらに備え、
前記コンテンツ再構成手段は、前記類似度判断手段が所定の２つの前記コンテンツ要素が類似していると判断した場合に、前記２つのコンテンツ要素のうちいずれか一方のコンテンツ要素のみを新たなコンテンツに含めることを特徴とする請求項１から２０のいずれか一項に記載のコンテンツ管理装置。
【請求項２２】
前記コンテンツ再構成手段が、前記コンテンツに含めた前記コンテンツ要素に課金情報が対応付けられている場合に、前記課金情報に基づいて前記コンテンツに対する課金情報を集計する課金手段をさらに備えたことを特徴とする請求項１から２１のいずれか一項に記載のコンテンツ管理装置。
【請求項２３】
前記コンテンツは、
映像、音声、画像のうち少なくとも一つのデータを含む講演内容情報と、
当該コンテンツ要素に関するメタ内容記述情報と
を有し、
前記メタ内容記述情報は、前記講演に関する講演関連情報、および各コンテンツ要素間の関係を示すコンテンツ間情報を含むことを特徴とする請求項１から２２のいずれか一項に記載のコンテンツ管理装置。
【請求項２４】
利用者に提供すべき情報を示す複数のコンテンツ要素を有するコンテンツを管理するコンテンツ管理装置と、当該コンテンツ管理装置とネットワークを介して通信可能であって、前記コンテンツを利用者に提供するコンテンツ提供装置とを備えたコンテンツ管理システムであって、
前記コンテンツ提供装置は、
前記利用者から前記コンテンツの要求を示すコンテンツ要求情報を取得するコンテンツ要求取得手段と、
前記コンテンツ要求取得手段が前記コンテンツ要求情報を取得した時点で、前記コンテンツ要求情報に基づいて前記コンテンツ要素を抽出するコンテンツ要素抽出手段と、
前記コンテンツ要素抽出手段が抽出した前記コンテンツ要素から新たなコンテンツを再構成するコンテンツ再構成手段と、
前記コンテンツ再構成手段が再構成した新たな前記コンテンツを利用者に提供する提供手段と
を有し、
前記コンテンツ管理装置は、
前記コンテンツ提供装置の前記コンテンツ要素抽出手段が前記コンテンツ要素を抽出する対象となる複数のコンテンツを格納するコンテンツ格納手段を有することを特徴とするコンテンツ管理システム。
【請求項２５】
前記コンテンツ提供装置は、前記コンテンツを提供する利用者に関する利用者関連情報を格納する利用者情報格納手段をさらに備え、
前記コンテンツ要素抽出手段は、前記利用者情報格納手段に格納されている前記利用者関連情報に基づいて前記コンテンツ要素を抽出することを特徴とする請求項２４に記載のコンテンツ管理システム。
【請求項２６】
利用者に提供すべき情報を示す複数のコンテンツ要素を有するコンテンツを管理するコンテンツ管理装置と、当該コンテンツ管理装置とネットワークを介して通信可能であって、前記コンテンツを利用者に提供するコンテンツ提供装置とを備えたコンテンツ管理システムであって、
前記コンテンツ管理装置は、
前記利用者から前記コンテンツの要求を示すコンテンツ要求情報を取得するコンテンツ要求取得手段と、
前記コンテンツ要求取得手段が前記コンテンツ要求情報を取得した時点で、前記コンテンツ要求情報に基づいて前記コンテンツ要素を抽出するコンテンツ要素抽出手段と、
前記コンテンツ要素抽出手段が抽出した前記コンテンツ要素から新たなコンテンツを再構成するコンテンツ再構成手段と、
前記コンテンツ再構成手段が再構成した新たな前記コンテンツを、ネットワークを介して、前記利用者が所有するコンテンツ提供装置に提供する提供手段と
を有し、
前記コンテンツ提供装置は、
前記ネットワークを介して前記コンテンツ提供装置から取得した前記コンテンツを出力する出力手段と、
前記コンテンツの提供先となる利用者に関する利用者関連情報を格納する利用者情報格納手段と
を有し、
前記コンテンツ管理装置の前記コンテンツ要素抽出手段は、前記コンテンツ提供装置の前記利用者情報格納手段に格納されている前記利用者関連情報に基づいて決定された前記コンテンツ要素を抽出することを特徴とするコンテンツ管理システム。
【請求項２７】
利用者に提供すべき情報を示す複数のコンテンツ要素を含むコンテンツを管理するコンテンツ管理方法であって、
前記利用者から前記コンテンツの要求を示すコンテンツ要求情報を取得するコンテンツ要求取得ステップと、
前記コンテンツ要求取得ステップにおいて前記コンテンツ要求情報を取得した時点で、前記コンテンツ要求情報に基づいて前記コンテンツ要素を抽出するコンテンツ要素抽出ステップと、
前記コンテンツ要素抽出ステップにおいて抽出した前記コンテンツ要素から新たなコンテンツを再構成するコンテンツ再構成ステップと
を有することを特徴とするコンテンツ管理方法。
【請求項２８】
利用者に提供すべき情報を示す複数のコンテンツ要素を含むコンテンツを管理するコンテンツ管理方法をコンピュータに実行させるコンテンツ管理プログラムであって、
前記利用者から前記コンテンツの要求を示すコンテンツ要求情報を取得するコンテンツ要求取得ステップと、
前記コンテンツ要求取得ステップにおいて前記コンテンツ要求情報を取得した時点で、前記コンテンツ要求情報に基づいて前記コンテンツ要素を抽出するコンテンツ要素抽出ステップと、
前記コンテンツ要素抽出ステップにおいて抽出した前記コンテンツ要素から新たなコンテンツを再構成するコンテンツ再構成ステップと
をコンピュータに実行させることを特徴とするコンテンツ管理プログラム。
【請求項２９】
利用者に提供すべき情報を示す複数のコンテンツ要素を含むコンテンツを管理するコンテンツ管理方法をコンピュータに実行させるコンテンツ管理プログラムと、
前記コンテンツ管理プログラムにおいて参照される複数のコンテンツと
を格納し、
前記コンテンツ管理プログラムは、
前記利用者から所定の前記コンテンツの要求を示すコンテンツ要求情報を取得するコンテンツ要求取得ステップと、
前記コンテンツ要求取得ステップにおいて前記コンテンツ要求情報を取得した時点で、前記コンテンツ要求情報に基づいて所定のコンテンツ要素を抽出するコンテンツ要素抽出ステップと、
前記コンテンツ要素抽出ステップにおいて抽出した前記コンテンツ要素から、新たなコンテンツを再構成するコンテンツ再構成ステップと
を含むことを特徴とする記録媒体。
【請求項３０】
複数のコンテンツ要素データを含むコンテンツデータであって、
映像、音声、画像のうち少なくとも一つのデータを含む講演内容情報と、
前記コンテンツデータおよび前記コンテンツ要素データのうち少なくとも一方のデータに対応付けられた、当該データに関するメタ内容記述情報と
を有し、
前記メタ内容記述情報は、前記講演に関する講演関連情報、前記コンテンツデータ同士、前記コンテンツ要素データ同士、および前記コンテンツデータと前記コンテンツ要素データの間における関係を示すデータ間情報を含むことを特徴とするコンテンツデータ。
【発明の詳細な説明】
【０００１】
【発明の属する技術分野】
この発明は、利用者に提供すべき情報を示す複数のコンテンツ要素を含むコンテンツを管理するコンテンツ管理装置、コンテンツ管理システム、コンテンツ管理方法、コンテンツ管理プログラム、記録媒体、およびコンテンツデータに関する。
【０００２】
【従来の技術】
昨今のインターネットの普及により、利用者は、インターネットを介して様々な情報を取得することができるようになった。また、利用者に提供されるマルチメディア情報にインデックスを付与し、所望の情報を効率的に検索する技術も知られている（例えば特許文献１）。これによりインターネットの利便性も向上している。
【０００３】
このようなインターネットの普及に寄与した、いわゆるキラーアプリケーションとしてはｅラーニングが挙げられる。これは、パソコンやコンピュータネットワークなどを利用して教材等を提供するなどして教育を行う方法である。教室で学習を行う場合と比べて、遠隔地にも教育を提供できる点、学習者の都合にあわせて、２４時間、３６５日いつでも学習できる点、コンピュータならではの教材が利用できる点など、優れた特徴を有している。
【０００４】
【特許文献１】
特開２００２−７４１８号公報
【０００５】
【発明が解決しようとする課題】
しかし、近年では大量の情報が氾濫し、利用者にとって利用価値のない情報が提供される場合もある。このように不必要な情報が提供されると、通信データ量が増加し、通信回線が混雑するという問題が生じる。また利用者にとっても、多くの情報の中から所望の情報を選択する必要があるなどの不都合が生じることとなる。
【０００６】
また、特にｅラーニングでは、その受講者は多忙であることが多く、いかに効率的に、受講者の希望に合致した内容の学習を提供するかという点に感心が集まっている。
【０００７】
以上のことから、利用者の希望に合致する情報を過不足なくかつ効率的に利用者に提供することのできる技術の提供が望まれている。
【０００８】
この発明は上記に鑑みてなされたもので、利用者の希望に合致する情報を過不足なく利用者に提供することのできるコンテンツ管理装置、コンテンツ管理システム、コンテンツ管理方法、コンテンツ管理プログラム、記録媒体、およびコンテンツデータを得ることを目的とする。
【０００９】
【課題を解決するための手段】
上記目的を達成するため、請求項１にかかる発明は、利用者に提供すべき情報を示す複数のコンテンツ要素を含むコンテンツを管理するコンテンツ管理装置であって、前記利用者から前記コンテンツの要求を示すコンテンツ要求情報を取得するコンテンツ要求取得手段と、前記コンテンツ要求取得手段が前記コンテンツ要求情報を取得した時点で、前記コンテンツ要求情報に基づいて前記コンテンツ要素を抽出するコンテンツ要素抽出手段と、前記コンテンツ要素抽出手段が抽出した前記コンテンツ要素から新たなコンテンツを再構成するコンテンツ再構成手段とを備えたことを特徴とする。
【００１０】
ここで、コンテンツとは、例えば、動画データ、静止画データ、音声データ、およびテキストデータなど、またはこれらの複合データであって、利用者が何らかの情報を取得するのに有効なデータであればよく、その種類は特に限定されない。
【００１１】
この請求項１の発明によれば、コンテンツ要素抽出手段は、コンテンツ要求取得手段がコンテンツ要求を取得した時点で、コンテンツ要求情報に基づいてコンテンツ要素を抽出し、コンテンツ要素再構成手段が抽出されたコンテンツ要素から新たなコンテンツを再構成する。すなわち、コンテンツ要求情報に基づいて抽出されたコンテンツ要素から新たなコンテンツを再構成するので、利用者が必要とするコンテンツ要素のみを含むコンテンツ再構成することができる。従って、利用者の希望に添ったコンテンツを利用者に提供することができる。また、コンテンツのデータ容量を最低限に抑えることができるので、効率的にコンテンツを提供することができる。
【００１２】
さらに、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００１３】
また、請求項２にかかる発明は、請求項１に記載のコンテンツ管理装置であって、前記コンテンツ要素抽出手段は、互いに異なる複数の前記コンテンツそれぞれから前記コンテンツ要素を抽出することを特徴とする。
【００１４】
この請求項２の発明によれば、コンテンツ要素抽出手段は、互いに異なる複数のコンテンツからコンテンツ要素を抽出するので、コンテンツ再構成手段は、複数のコンテンツに含まれるコンテンツ要素を含むコンテンツを再構成することができる。このように、様々なバリエーションのコンテンツを作成することができるので、利用者の希望に合ったコンテンツを再構成することができる。
【００１５】
また、請求項３にかかる発明は、請求項１または２に記載のコンテンツ管理装置であって、前記コンテンツを格納するコンテンツ格納手段をさらに備え、前記コンテンツ要素抽出手段は、前記コンテンツ格納手段に格納されている前記コンテンツから前記コンテンツ要素を抽出することを特徴とする。
【００１６】
この請求項３の発明によれば、複数のコンテンツを格納するコンテンツ格納手段をさらに備えているので、コンテンツ再構成手段は、コンテンツ格納手段に格納されているコンテンツを用いてコンテンツを再構成することができる。
【００１７】
また、請求項４にかかる発明は、請求項１から３のいずれか一項に記載のコンテンツ管理装置であって、前記コンテンツ格納手段は、前記コンテンツ要素を、前記コンテンツ要素に関連するコンテンツ要素関連情報に対応付けて格納し、前記コンテンツ要素抽出手段は、前記コンテンツ要素関連情報に基づいて前記コンテンツ要素を抽出することを特徴とする。
【００１８】
この請求項４の発明によれば、コンテンツ要素抽出手段は、コンテンツ要素に対応付けられているコンテンツ要素関連情報に基づいてコンテンツ要素を抽出することができる。すなわち、コンテンツ要素に対応付けられているコンテンツ要素関連情報に基づいて、コンテンツ要素を抽出するか否かを判断することができるので、自動的にかつ効率的にコンテンツ要素を抽出することができる。
【００１９】
なお、コンテンツ格納手段は、さらにコンテンツ要素を含むコンテンツに対して当該コンテンツに関連するコンテンツ要素関連情報を対応付けて管理してもよい。これにより、コンテンツ要素抽出手段は、コンテンツ単位でコンテンツ要素を抽出する場合、すなわち一のコンテンツに含まれる全てのコンテンツを抽出する場合には、コンテンツの関連情報に基づいてコンテンツ要素を抽出することができる。これにより、より効率的にコンテンツ要素を抽出することができる。
【００２０】
また、請求項５にかかる発明は、請求項４に記載のコンテンツ管理装置であって、前記コンテンツ格納手段は、前記コンテンツ要素を当該コンテンツ要素が示す内容のジャンルに対応付けて格納し、前記コンテンツ要素抽出手段は、前記ジャンルに基づいて前記コンテンツ要素を抽出することを特徴とする。
【００２１】
この請求項５の発明によれば、コンテンツ要素抽出手段は、コンテンツ要素のジャンルに基づいてコンテンツを抽出することができるので、利用者の希望に合ったジャンルのコンテンツ要素を抽出することができる。従って、利用者の希望に合ったコンテンツを再構成することができる。
【００２２】
また、請求項６にかかる発明は、請求項４または５に記載のコンテンツ管理装置であって、前記コンテンツ格納手段は、前記コンテンツ要素を当該コンテンツ要素の重要度に対応付けて格納し、前記コンテンツ要素抽出手段は、前記重要度に基づいて前記コンテンツ要素を抽出することを特徴とする。
【００２３】
この請求項６の発明によれば、コンテンツ要素抽出手段は、コンテンツ要素の重要度に基づいてコンテンツ要素を抽出することができるので、利用者の希望に合わせて重要なコンテンツ要素のみを含めたコンテンツを再構成することができる。
【００２４】
例えば、利用者ができるだけ少ない情報量で効率的に所望の情報を取得したいと希望している場合には、重要度の高いコンテンツ要素のみを含めたコンテンツを再構成することができる。従って、利用者は、効率的に所望の情報のみを取得することができる。
【００２５】
また、請求項７にかかる発明は、請求項４から６のいずれか一項に記載のコンテンツ管理装置であって、前記コンテンツ格納手段は、前記コンテンツ要素を当該コンテンツ要素の人気度に対応付けて格納し、前記コンテンツ要素抽出手段は、前記人気度に基づいて前記コンテンツ要素を抽出することを特徴とする。
【００２６】
この請求項７の発明によれば、コンテンツ要素抽出手段は、コンテンツ要素の人気度に基づいてコンテンツ要素を抽出することができるので、利用者の間で好評なコンテンツ要素を抽出することができ、コンテンツ再構成手段は、人気度の高いコンテンツ要素を含むコンテンツを再構成することができる。
【００２７】
また、請求項８にかかる発明は、請求項４から７のいずれか一項に記載のコンテンツ管理装置であって、前記コンテンツ格納手段は、演者を含むデータを前記コンテンツ要素として格納し、かつ前記コンテンツ要素を前記演者の人気度に対応付けて格納し、前記コンテンツ要素抽出手段は、前記演者の人気度に基づいて前記コンテンツ要素を抽出することを特徴とする。
【００２８】
この請求項８の発明によれば、コンテンツ要素抽出手段は、演者の人気度に基づいてコンテンツ要素を抽出することができるので、利用者の間で好評な演者のコンテンツ要素を抽出することができるので、コンテンツ再構成手段は、人気の高い演者に対するコンテンツ要素を含むコンテンツを再構成することができる。
【００２９】
また、請求項９にかかる発明は、請求項４から８のいずれか一項に記載のコンテンツ管理装置であって、前記コンテンツを提供すべき前記利用者を識別する利用者識別情報を取得する利用者識別情報取得手段をさらに備え、前記コンテンツ要素抽出手段は、前記利用者識別情報取得手段が取得した前記利用者識別情報に対応付けられた利用者関連情報に基づいて前記コンテンツ要素を抽出することを特徴とする。
【００３０】
この請求項９の発明によれば、コンテンツ要素抽出手段は、コンテンツを提供すべき利用者の利用者関連情報に基づいて抽出すべきコンテンツ要素を決定するので、利用者の希望に合ったコンテンツ要素を抽出することができる。
【００３１】
また、請求項１０にかかる発明は、請求項９に記載のコンテンツ管理装置であって、前記コンテンツ要素抽出手段は、前記利用者識別情報に対応付けられた前記利用者の学習レベルに基づいて前記コンテンツ要素を抽出することを特徴とする。
【００３２】
この請求項１０の発明によれば、コンテンツ要素抽出手段は、利用者に学習に関するコンテンツを提供する場合には、利用者の学習レベルに合ったコンテンツ要素を抽出することができる。
【００３３】
また、請求項１１にかかる発明は、請求項１０に記載のコンテンツ管理装置であって、前記コンテンツ格納手段は、前記コンテンツ要素を当該コンテンツ要素の更新日時に対応付けて格納し、前記コンテンツ要素抽出手段は、前記利用者識別情報に、提供済みとして対応付けられた前記コンテンツ要素および提供日時に基づいて、提供日時以降の更新日時に対応付けられているコンテンツ要素を抽出することを特徴とする。
【００３４】
この請求項１１の発明によれば、コンテンツ要素抽出手段は、コンテンツ要素を抽出する時点で、既に利用者に提供したことのあるコンテンツ要素については、提供日時以降に更新されている場合にのみ、利用者に提供すべく抽出するので、利用者に対して、同一のコンテンツ要素を含むコンテンツを提供することがない。このように、効率的にコンテンツを提供することができる。
【００３５】
また、請求項１２にかかる発明は、請求項１から１１のいずれか一項に記載のコンテンツ管理装置であって、前記コンテンツ要素抽出手段は、前記利用者に既に提供したコンテンツ要素以外のコンテンツ要素を抽出することを特徴とする。
【００３６】
この請求項１２の発明によれば、コンテンツ要素抽出手段は、利用者に既に提供したことのあるコンテンツ要素以外のコンテンツ要素を抽出するので、効率的にコンテンツを提供することができる。
【００３７】
また、請求項１３にかかる発明は、請求項４から１２のいずれか一項に記載のコンテンツ管理装置であって、前記コンテンツを利用者に提供する提供手段と、前記提供手段が前記コンテンツを提供した前記利用者から、提供した前記コンテンツに含まれる前記コンテンツ要素に対する評価を取得する評価取得手段と、前記評価取得手段が取得した評価を、前記コンテンツ要素に対応付けられている前記コンテンツ要素関連情報に反映させる更新手段とをさらに備えたことを特徴とする。
【００３８】
この請求項１３の発明によれば、コンテンツを提供された利用者からの評価を各コンテンツ要素にフィードバックすることができるので、利用者からの評価を反映させて、より利用者の希望に合ったコンテンツ要素を抽出して、利用者に提供することができる。
【００３９】
また、請求項１４にかかる発明は、請求項９から１３のいずれか一項に記載のコンテンツ管理装置であって、前記利用者識別情報と、前記利用者関連情報とを対応付けて格納する利用者情報格納手段をさらに備えたことを特徴とする。
【００４０】
この請求項１４の発明によれば、コンテンツ要素抽出手段は、利用者情報格納手段に格納されている利用者関連情報に基づいて、より利用者の希望に合ったコンテンツ要素を抽出することができる。
【００４１】
また、請求項１５にかかる発明は、請求項１から１４いずれか一項に記載のコンテンツ管理装置であって、前記コンテンツ格納手段は、前記コンテンツ要素を当該コンテンツ要素の更新日時に対応付けて格納し、前記コンテンツ要素抽出手段は、前記更新日時に基づいて、前記コンテンツ要素を抽出することを特徴とする。
【００４２】
この請求項１５の発明によれば、コンテンツ要素抽出手段は、コンテンツ要素の更新日時に基づいて、コンテンツ要素を抽出することができる。すなわち、コンテンツ要素抽出手段は、コンテンツ要素が比較的最近更新されている場合にのみ、当該コンテンツ要素を利用者に提供することができるので、利用者に最新のコンテンツ要素を提供することができる。
【００４３】
また例えば、利用者に提供した提供日時以降に更新されているコンテンツ要素のみを利用者に提供することができる。さらにまた、例えば、過去１ヶ月に更新されたコンテンツ要素のみを利用者に提供することができる。このように、更新日時に基づいて効果的にコンテンツを利用者に提供することができる。
【００４４】
また、請求項１６にかかる発明は、請求項１から１５のいずれか一項に記載のコンテンツ管理装置であって、前記コンテンツ格納手段は、前記コンテンツ要素を当該コンテンツ要素の作成日時に対応付けて格納し、前記コンテンツ要素抽出手段は、前記作成日時に基づいて前記コンテンツ要素を抽出することを特徴とする。
【００４５】
この請求項１６の発明によれば、コンテンツ要素抽出手段は、コンテンツ要素の作成日時に基づいて、コンテンツ要素を抽出することができる。すなわち、コンテンツ要素抽出手段は、コンテンツ要素が比較的最近作成されている場合にのみ、当該コンテンツ要素を利用者に提供することができるので、利用者に最近のコンテンツ要素を提供することができる。
【００４６】
また例えば、利用者に提供した提供日時以降に作成されたコンテンツ要素のみを利用者に提供することができる。さらにまた、例えば、過去一ヶ月に作成されたコンテンツ要素のみを利用者に提供することができる。このように、作成日時に基づいて効果的にコンテンツを利用者に提供することができる。
【００４７】
また、請求項１７にかかる発明は、請求項１から１６のいずれか一項に記載のコンテンツ管理装置であって、前記コンテンツ格納手段は、動画データまたは音声データのうち少なくともいずれか一方を前記コンテンツ要素とし、前記コンテンツ要素を当該コンテンツ要素の再生時間に対応付けて格納し、前記コンテンツ要素抽出手段は、前記再生時間および再構成するコンテンツの総再生時間に基づいて、前記コンテンツ要素を抽出することを特徴とする。
【００４８】
この請求項１７の発明によれば、コンテンツ要素抽出手段は、利用者に提供すべきコンテンツの総再生時間が予め定められているときには、各コンテンツ要素の再生時間と、再構成するコンテンツの総再生時間とに基づいて抽出すべきコンテンツ要素を決定することができるので、予め定められた時間内に利用者の希望に合ったコンテンツ要素を過不足なく含めるべく、抽出すべきコンテンツ要素を決定することができる。
【００４９】
また、請求項１８にかかる発明は、請求項１から１７のいずれか一項に記載のコンテンツ管理装置であって、前記コンテンツ再構成手段が再構成するコンテンツに含めるべきコンテンツ要素を示す指定情報を利用者から取得する指定取得手段をさらに備え、前記コンテンツ要素抽出手段は、前記指定取得手段が取得した前記指定情報に示される前記コンテンツ要素を抽出することを特徴とする。
【００５０】
この請求項１８の発明によれば、コンテンツ要素抽出手段は、指定取得手段が取得した指定情報に示されるコンテンツ要素を抽出することができるので、利用者の希望通りのコンテンツ要素を含むコンテンツを再構成することができる。
【００５１】
また、請求項１９にかかる発明は、請求項１から１８のいずれか一項に記載のコンテンツ管理装置であって、前記コンテンツ再構成手段は、予め定められた構成順に基づいて、前記コンテンツ要素を再構成することを特徴とする。
【００５２】
この請求項１９の発明によれば、コンテンツ再構成手段は、予め定められた構成順に基づいてコンテンツ要素を再構成するので、自動的に好ましい構成順にコンテンツ要素を再構成することができる。
【００５３】
また、請求項２０にかかる発明は、請求項１から１９のいずれか一項に記載のコンテンツ管理装置であって、前記コンテンツ再構成手段は、前記コンテンツ要素が学習に関する内容を示し、前記コンテンツ要素に学習レベルが対応付けられている場合に、前記学習のレベルに基づいて前記コンテンツ要素を再構成することを特徴とする。
【００５４】
この請求項２０の発明によれば、コンテンツ再構成手段は、コンテンツ要素抽出手段が抽出したコンテンツ要素を、学習レベル順に再構成するので、利用者は、順番に沿って閲覧等すればよい。このように、利便性のよいコンテンツを再構成することができる。
【００５５】
また、請求項２１にかかる発明は、請求項１から２０のいずれか一項に記載のコンテンツ管理装置であって、前記コンテンツ再構成手段が再構成すべき前記コンテンツ要素同士の類似度を判断する類似度判断手段をさらに備え、前記コンテンツ再構成手段は、前記類似度判断手段が所定の２つの前記コンテンツ要素が類似していると判断した場合に、前記２つのコンテンツ要素のうちいずれか一方のコンテンツ要素のみを新たなコンテンツに含めることを特徴とする。
【００５６】
ここで、コンテンツ再構成手段は、２つのコンテンツ要素が類似している場合には、任意の一のコンテンツ要素のみを新たなコンテンツに含める。このとき、いずれの一のコンテンツ要素を選択するかを定めるための条件を予め設定しておいてもよい。具体的には、例えば、人気度の高いコンテンツ要素を選択することを条件としてもよく、学習レベルの低いコンテンツ要素を選択することを条件としてもよく、また例えば、更新日時の新しいコンテンツ要素を選択することを条件としてもよい。このように、コンテンツ要素を選択するための条件は、任意に設定可能であってもよい。
【００５７】
この請求項２１の発明によれば、コンテンツ再構成手段は、２つのコンテンツ要素が類似していると判断した場合には、２つのコンテンツ要素のうちいずれか一方のコンテンツ要素のみを新たなコンテンツに含めるので、重複した内容を含む、冗長なコンテンツを利用者に提供するのを避けることができる。従って、利用者は、効率的に必要な情報のみを取得することができる。
【００５８】
また、請求項２２にかかる発明は、請求項１から２１のいずれか一項に記載のコンテンツ管理装置であって、前記コンテンツ再構成手段が、前記コンテンツに含めた前記コンテンツ要素に課金情報が対応付けられている場合に、前記課金情報に基づいて前記コンテンツに対する課金情報を集計する課金手段をさらに備えたことを特徴とする。
【００５９】
この請求項２２の発明によれば、コンテンツ要素には課金情報が対応付けられているので、各課金情報に基づいて容易にコンテンツ構成手段が再構成したコンテンツの料金を定めることができる。このように、効率的に料金を決定することができる。
【００６０】
また、請求項２３にかかる発明は、請求項１から２２のいずれか一項に記載のコンテンツ管理装置であって、前記コンテンツは、映像、音声、画像のうち少なくとも１つのデータを含む講演内容情報と、当該コンテンツ要素に関するメタ内容記述情報とを有し、前記メタ内容記述情報は、前記講演に関する講演関連情報、および各コンテンツ要素間の関係を示すコンテンツ間情報を含むことを特徴とする。
【００６１】
ここで、コンテンツとは、映像、音声、画像のうち少なくとも１つのデータを含むデータであり、例えば映像、音声、画像いずれか１つのデータであってもよく、または、映像と音声、音声と画像など複数のデータから構成されていてもよい。また、講演に関する情報とは、講演の講演名、演者、開催場所、開催日時などの書式情報であってもよい。
【００６２】
この請求項２３の発明によれば、コンテンツは、講演内容情報や、メタ内容記述情報を含んでいるので、コンテンツ要素抽出手段は、これらの情報を有効に利用して、効率的にコンテンツ要素を抽出することができる。
【００６３】
また、請求項２４にかかる発明は、利用者に提供すべき情報を示す複数のコンテンツ要素を有するコンテンツを管理するコンテンツ管理装置と、当該コンテンツ管理装置とネットワークを介して通信可能であって、前記コンテンツを利用者に提供するコンテンツ提供装置とを備えたコンテンツ管理システムであって、前記コンテンツ提供装置は、前記利用者から前記コンテンツの要求を示すコンテンツ要求情報を取得するコンテンツ要求取得手段と、前記コンテンツ要求取得手段が前記コンテンツ要求情報を取得した時点で、前記コンテンツ要求情報に基づいて前記コンテンツ要素を抽出するコンテンツ要素抽出手段と、前記コンテンツ要素抽出手段が抽出した前記コンテンツ要素から新たなコンテンツを再構成するコンテンツ再構成手段と、前記コンテンツ再構成手段が再構成した新たな前記コンテンツを利用者に提供する提供手段とを有し、前記コンテンツ管理装置は、前記コンテンツ提供装置の前記コンテンツ要素抽出手段が前記コンテンツ要素を抽出する対象となる複数のコンテンツを格納するコンテンツ格納手段を有することを特徴とする。
【００６４】
この請求項２４の発明によれば、コンテンツ要素抽出手段は、コンテンツ要求取得手段がコンテンツ要求を取得した時点で、コンテンツ要求情報に基づいてコンテンツ要素を抽出し、コンテンツ要素再構成手段が抽出されたコンテンツ要素から新たなコンテンツを再構成するので、利用者が必要とするコンテンツ要素のみを含むコンテンツを利用者に提供することができる。従って、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００６５】
また、請求項２５にかかる発明は、請求項２４に記載のコンテンツ管理システムであって、前記コンテンツ提供装置は、前記コンテンツを提供する利用者に関する利用者関連情報を格納する利用者情報格納手段をさらに備え、前記コンテンツ要素抽出手段は、前記利用者情報格納手段に格納されている前記利用者関連情報に基づいて前記コンテンツ要素を抽出することを特徴とする。
【００６６】
この請求項２５の発明によれば、コンテンツ要素抽出手段は、利用者情報格納手段に格納されている利用者関連情報に基づいて、より利用者の希望に合ったコンテンツ要素を抽出することができる。
【００６７】
また、請求項２６にかかる発明は、利用者に提供すべき情報を示す複数のコンテンツ要素を有するコンテンツを管理するコンテンツ管理装置と、当該コンテンツ管理装置とネットワークを介して通信可能であって、前記コンテンツを利用者に提供するコンテンツ提供装置とを備えたコンテンツ管理システムであって、前記コンテンツ管理装置は、前記利用者から前記コンテンツの要求を示すコンテンツ要求情報を取得するコンテンツ要求取得手段と、前記コンテンツ要求取得手段が前記コンテンツ要求情報を取得した時点で、前記コンテンツ要求情報に基づいて前記コンテンツ要素を抽出するコンテンツ要素抽出手段と、前記コンテンツ要素抽出手段が抽出した前記コンテンツ要素から新たなコンテンツを再構成するコンテンツ再構成手段と、前記コンテンツ再構成手段が再構成した新たな前記コンテンツを、ネットワークを介して、前記利用者が所有するコンテンツ提供装置に提供する提供手段とを有し、前記コンテンツ提供装置は、前記ネットワークを介して前記コンテンツ提供装置から取得した前記コンテンツを出力する出力手段と、前記コンテンツの提供先となる利用者に関する利用者関連情報を格納する利用者情報格納手段とを有し、前記コンテンツ管理装置の前記コンテンツ要素抽出手段は、前記コンテンツ提供装置の前記利用者情報格納手段に格納されている前記利用者関連情報に基づいて決定された前記コンテンツ要素を抽出することを特徴とする。
【００６８】
この請求項２６の発明によれば、コンテンツ要素抽出手段は、コンテンツ要求取得手段がコンテンツ要求を取得した時点で、コンテンツ要求情報に基づいてコンテンツ要素を抽出し、コンテンツ要素再構成手段が抽出されたコンテンツ要素から新たなコンテンツを再構成するので、利用者が必要とするコンテンツ要素のみを含むコンテンツを利用者に提供することができる。従って、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００６９】
また、請求項２７にかかる発明は、利用者に提供すべき情報を示す複数のコンテンツ要素を含むコンテンツを管理するコンテンツ管理方法であって、前記利用者から前記コンテンツの要求を示すコンテンツ要求情報を取得するコンテンツ要求取得ステップと、前記コンテンツ要求取得ステップにおいて前記コンテンツ要求情報を取得した時点で、前記コンテンツ要求情報に基づいて前記コンテンツ要素を抽出するコンテンツ要素抽出ステップと、前記コンテンツ要素抽出ステップにおいて抽出した前記コンテンツ要素から新たなコンテンツを再構成するコンテンツ再構成ステップとを有することを特徴とする。
【００７０】
この請求項２７の発明によれば、コンテンツ要求を取得した時点で、コンテンツ要求情報に基づいてコンテンツ要素を抽出し、抽出したコンテンツ要素から新たなコンテンツを再構成するので、利用者が必要とするコンテンツ要素のみを含むコンテンツを利用者に提供することができる。従って、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００７１】
また、請求項２８にかかる発明は、利用者に提供すべき情報を示す複数のコンテンツ要素を含むコンテンツを管理するコンテンツ管理方法をコンピュータに実行させるコンテンツ管理プログラムであって、前記利用者から前記コンテンツの要求を示すコンテンツ要求情報を取得するコンテンツ要求取得ステップと、前記コンテンツ要求取得ステップにおいて前記コンテンツ要求情報を取得した時点で、前記コンテンツ要求情報に基づいて前記コンテンツ要素を抽出するコンテンツ要素抽出ステップと、前記コンテンツ要素抽出ステップにおいて抽出した前記コンテンツ要素から新たなコンテンツを再構成するコンテンツ再構成ステップとをコンピュータに実行させることを特徴とする。
【００７２】
この請求項２８の発明によれば、コンテンツ要素を取得した時点で、コンテンツ要求情報に基づいてコンテンツ要素を抽出し、抽出したコンテンツ要素から新たなコンテンツを再構成するので、利用者が必要とするコンテンツ要素のみを含むコンテンツを利用者に提供することができる。従って、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００７３】
また、請求項２９にかかる発明は、利用者に提供すべき情報を示す複数のコンテンツ要素を含むコンテンツを管理するコンテンツ管理方法をコンピュータに実行させるコンテンツ管理プログラムと、前記コンテンツ管理プログラムにおいて参照される複数のコンテンツとを格納し、前記コンテンツ管理プログラムは、前記利用者から所定の前記コンテンツの要求を示すコンテンツ要求情報を取得するコンテンツ要求取得ステップと、前記コンテンツ要求取得ステップにおいて前記コンテンツ要求情報を取得した時点で、前記コンテンツ要求情報に基づいて所定のコンテンツ要素を抽出するコンテンツ要素抽出ステップと、前記コンテンツ要素抽出ステップにおいて抽出した前記コンテンツ要素から、新たなコンテンツを再構成するコンテンツ再構成ステップとを含むことを特徴とする。
【００７４】
この請求項２９の発明によれば、コンテンツ要素を取得した時点で、コンテンツ要求情報に基づいてコンテンツ要素を抽出し、抽出したコンテンツ要素から新たなコンテンツを再構成するので、利用者が必要とするコンテンツ要素のみを含むコンテンツを利用者に提供することができる。従って、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができる。
【００７５】
また、請求項３０にかかる発明は、複数のコンテンツ要素データを含むコンテンツデータであって、映像、音声、画像のうち少なくとも一つのデータを含む講演内容情報と、前記コンテンツデータおよび前記コンテンツ要素データのうち少なくとも一方のデータに対応付けられた、当該データに関するメタ内容記述情報とを有し、前記メタ内容記述情報は、前記講演に関する講演関連情報、前記コンテンツデータ同士、前記コンテンツ要素データ同士、および前記コンテンツデータと前記コンテンツ要素データの間における関係を示すデータ間情報を含むことを特徴とする。
【００７６】
この請求項３０の発明によれば、コンテンツデータは、講演内容情報や、メタ内容記述情報を含んでいるので、これらの情報を有効に利用して、効率的にコンテンツ要素を抽出し、抽出したコンテンツ要素から新たにコンテンツを再構成することができる。
【００７７】
【発明の実施の形態】
以下に添付図面を参照して、この発明にかかるコンテンツ管理装置、コンテンツ管理システム、コンテンツ管理方法、コンテンツ管理プログラム、記録媒体、およびコンテンツデータの好適な実施の形態を詳細に説明する。なお、実施の形態においては、発明にかかるコンテンツ管理装置を含むコンテンツ管理システムについて説明する。また、本実施の形態におけるコンテンツ管理システムの管理対象となるコンテンツは、動画データ、音声データ、および静止画データを含むデータである。より具体的には、コンテンツは、講演内容を示すデータである。なお、本実施の形態におけるコンテンツは、講講演内容として、講義風景を録画した画像データ、音声データと、当該講義において大型パネル等の表示装置に表示される静止画データを含んでいる。
【００７８】
なお、コンテンツは、これ以外にテキストデータなどであってもよく、またテキストデータと動画データ等の複合データであってもよい。このように、コンテンツは、利用者が何らかの情報を取得するのに有効なデータであればよくその種類は特に限定されない。なお、本実施の形態におけるコンテンツは、動画データ、音声データ、および静止画データの複合データである。より具体的には、例えば、コンピュータに関する講義内容を収録した教材である。
【００７９】
（実施の形態１）
図１は、実施の形態１にかかるコンテンツ管理システムの全体構成を示す図である。コンテンツ管理システム１は、利用者に提供すべき情報を示す複数のコンテンツ要素を含むコンテンツを管理するコンテンツ管理装置１０と、コンテンツ管理装置１０とネットワーク３０を介して通信可能な利用者端末２０ａ，２０ｂとを備えている。ネットワーク３０は、例えばインターネットであってもよく、また例えばＬＡＮ（Ｌｏｃａｌ  Ａｒｅａ  Ｎｅｔｗｏｒｋ）や、ＷＡＮ（Ｗｉｄｅ  Ａｒｅａ  Ｎｅｔｗｏｒｋ）などであってもよい。
【００８０】
また、コンテンツ管理装置１０は、当該コンテンツ管理装置１０が管理する対象となるコンテンツを提供すべき利用者に関する利用者関連情報を格納する利用者データベース（ＤＢ）１１と、当該コンテンツ管理装置１０が管理する対象となるコンテンツを格納するコンテンツデータベース（ＤＢ）１２とを備えている。より具体的には、利用者ＤＢ１１は、利用者を識別する利用者ＩＤと利用者関連情報とを対応付けて格納している。ここで、利用者関連情報とは、利用者ごとの、対象テーマに対する知識レベル、興味のある分野、受講記録情報などである。
【００８１】
なお、コンテンツＤＢ１２に格納されるコンテンツは、以下のようにして蓄積される。すなわち、教育カリキュラム決定者が教育カリキュラムを構築し、構築した教育カリキュラム、すなわち所定のテーマを習得するまでの学習の道のりを示す情報をコンテンツＤＢ１２に格納する。また、各テーマに関する講義を行う講師は自分の講義した情報に対して、知識レベル、必須などの情報を付加する。こうして完成した講義情報、すなわちコンテンツが、上記教育カリキュラムに対応付けてコンテンツＤＢ１２に蓄積される。
【００８２】
本実施の形態１にかかるコンテンツ管理装置１０は、利用者端末２０の利用者からの要求に応じて、コンテンツＤＢ１２および利用者ＤＢ１１に格納されているデータに基づいて、利用者の要求に合ったコンテンツを新たに再構成し、再構成コンテンツをネットワーク３０を介して利用者端末２０に提供する。
【００８３】
図２は、実施の形態１の利用者端末２０ａの表示部２２ａに表示されるコンテンツを示す図である。利用者は、ネットワーク３０を介して利用者端末２０ａから所望の学習テーマに関する教材を要求すると、図２に示すように、希望に合った講義内容を収録した画像と音声、および静止画を含む教材を取得することができる。
【００８４】
図３は、実施の形態１のコンテンツ管理装置１０におけるコンテンツ管理に関する処理を行う処理部１００の機能構成を示すブロック図である。
【００８５】
処理部１００は、コンテンツ要素抽出部１１０と、類似度判断部１１２と、教材再編成部１１４と、課金部１１６と、教材提示部１１８と、教育カリキュラム決定部１２０と、利用者関連情報特定部１２２と、更新部１２４と、取得部１２６とを有している。
【００８６】
ここで、教材再構成部１１４教材再構成部１１４および教育カリキュラム決定部１２０は、特許請求の範囲に記載のコンテンツ再構成手段を構成する。また、教材提示部１１８は、特許請求の範囲の提供手段を構成する。さらにまた、取得部１２６は、特許請求の範囲の指定取得手段および利用者識別情報取得手段を構成する。
【００８７】
取得部１２６は、利用者からコンテンツの要求を示すコンテンツ要求を取得する。ここで、コンテンツ要求には、ｅラーニング環境において、利用者がどのような内容について、どのように学びたいかなどの情報、すなわち利用者の希望のコンテンツや、学習教材のジャンルおよび学習レベルなどの情報と、利用者ＩＤとが含まれている。すなわち、取得部１２６は、これらの情報を取得する。
【００８８】
利用者関連情報特定部１２２は、取得部１２６からコンテンツ要求を受け取る。そして、利用者ＤＢ１１において、コンテンツ要求に含まれる利用者識別ＩＤに対応付けられている利用者関連情報を特定する。
【００８９】
教育カリキュラム決定部１２０は、取得部１２６からコンテンツ要求を受け取り、利用者関連情報特定部１２２が特定した利用者関連情報を受け取る。そして、教育カリキュラム決定部１２０は、コンテンツ要求に示される情報および利用者関連情報に基づいて、利用者に提供すべき教材に含める学習内容についての教育カリキュラムを決定する。ここで、教育カリキュラムとは、各学習内容に対応するコンテンツ要素の構成順のことである。
【００９０】
コンテンツ要素抽出部１１０は、取得部１２６がコンテンツ要求を取得した時点で、コンテンツ要求に基づいて、コンテンツＤＢ１２に格納されているコンテンツ要素を抽出する。コンテンツ要素抽出部１１０は、より具体的には、教育カリキュラム決定部１２０が決定した教育カリキュラムおよび利用者関連情報特定部１２２が特定した利用者関連情報に基づいて、抽出すべきコンテンツ要素を決定し、決定したコンテンツ要素を抽出する。
【００９１】
類似度判断部１１２は、コンテンツ要素抽出部１１０が抽出したコンテンツ要素同士の類似度を判断する。すなわち、後述の教材再構成部１１４教材再構成部１１４が再構成すべきコンテンツ要素同士の類似度を判断する。
【００９２】
教材再編成部１１４は、コンテンツ要素抽出部１１０が抽出したコンテンツ要素から新たな教材、すなわちコンテンツを再構成する。教材再構成部１１４教材再構成部１１４は類似度判断部１１２が所定の２つのコンテンツ要素が類似していると判断した場合には、２つのコンテンツ要素のうちいずれか一方のコンテンツ要素のみを新たなコンテンツに含める。これにより、コンテンツに重複する内容のコンテンツ要素が含まれるのを避けることができる。
【００９３】
課金部１１６は、教材再構成部１１４教材再構成部１１４がコンテンツに含めたコンテンツ要素に対応付けられた課金情報に基づいて、再構成したコンテンツに対する課金情報を集計する。教材提示部１１８は、ネットワーク３０を介して教材再構成部１１４教材再構成部１１４が再構成したコンテンツ等を利用者に提供する。更新部１２４は、コンテンツＤＢ１２においてコンテンツ要素に対応付けられているコンテンツ要素関連情報を更新する。
【００９４】
次に、図４を参照しつつコンテンツＤＢ１２に格納されているコンテンツのデータ構成について説明する。図４は、コンテンツのデータ構成を模式的に示している。
【００９５】
コンテンツデータ、すなわちｅラーニングコンテンツ２００は、音声データ２１０、動画データ２１２、および静止画データ２１４の３種類のデータを有している。ｅラーニングコンテンツ２００には、講演関連情報が対応付けられている。ここで、講演関連情報とは、講義名、講義者名、講義日時、講義場所など講義に関連する情報である。
【００９６】
音声データ２１０、動画データ２１２、および静止画データ２１４の３種類のデータは、講義内容に基づいて、時間軸に沿って任意の間隔で区切られた複数のコンテンツ要素２１０ａ、２１０ｂ・・として管理されている。コンテンツ要素２１０ａは、音声データ２１０のうちの一部２１０ａ、動画データ２１２のうちの一部２１２ａ、および静止画データ２１４ａを含んでいる。なお、ここで、静止画データ２１４ａは、例えば、動画データ２１２ａに含まれる表示パネルが表示している画像のデータである。
【００９７】
例えば、一のコンテンツが一日に行われる複数の講義内容を示すデータである場合に、講義をテーマごとにそれぞれ１つのコンテンツ要素としてもよい。このように、１つのコンテンツは、複数のコンテンツ要素に分割されており、このコンテンツ要素が教材再構成における最小単位となる。
【００９８】
さらに、各コンテンツ要素２１０ａ、２１０ｂ・・・には、それぞれコンテンツ要素に関連するコンテンツ要素関連情報を含むメタ内容記述情報２３０ａ、２３０ｂ・・・が対応付けられている。
【００９９】
例えば、コンテンツ要素２２０ｃに対応付けられているメタ内容記述情報２３０ｃは、コンテンツ要素関連情報として、コンテンツ要素名、講義内容、ジャンル、当該コンテンツを提供する対象となる利用者の学習レベル、当該コンテンツ要素の重要度、当該コンテンツ要素が含まれるジャンルを学習するにあたり必須の内容か否かを示す必須フラグ、当該コンテンツ要素を閲覧等した利用者からのフィードバックにより決定された人気度、講師名、当該コンテンツ要素の更新日時または作成日時、再生時間、および当該コンテンツ要素の提供料金の各情報を含んでいる。
【０１００】
なお、コンテンツＤＢ１２は、講師に対する人気度については、各講師と、当該講師に対する人気度とを対応付ける講師テーブル３００をさらに格納しており、講師テーブル３００に基づいて、メタ内容記述情報２３１に含まれる講師に対する人気度を特定することができる。
【０１０１】
また、メタ内容記述情報２３１は、３つのコンテンツ要素２２０ｆ、２２０ｇ、２２０ｈに対応付けられている。このように、メタ内容記述情報とコンテンツ要素との対応関係は、１対１に限定されるものではなく、１つのメタ内容記述情報が、複数のコンテンツ要素に対応付けられていてもよい。
【０１０２】
このように、コンテンツＤＢ１２は、コンテンツ要素を当該コンテンツ要素の重要度、人気度、更新日時、作成日時、当該コンテンツ要素の演者の人気度、および再生時間に対応付けて格納しているので、コンテンツ要素抽出部１１０は、これらのコンテンツ要素関連情報に基づいて、利用者に提供すべきコンテンツに含めるべきコンテンツ要素を決定し、抽出することができる。なお、コンテンツＤＢ１２は、図４で説明したコンテンツを複数格納しており、コンテンツ要素抽出部１１０は、コンテンツＤＢ１２に格納されている互いに異なる複数のコンテンツそれぞれからコンテンツ要素を抽出する。
【０１０３】
このように１つのコンテンツが複数のコンテンツ要素に分割され、コンテンツ要素単位に、その内容や知識レベル、重要度、人気度などの情報がメタ内容記述情報として付加されているので、より柔軟なコンテンツの解析が可能となる。
【０１０４】
また、１つまたは複数のコンテンツ要素のメタ内容記述情報として、そのコンテンツ要素、または複数のコンテンツ要素における重要度、人気度などの属性情報を、講師が指定することができる。従って、より信頼性のあるメタ内容記述情報を付加することができる。また、講師の意図をメタ内容記述情報として付加することができるので、教材を再構成する場合にも講師の意図を反映させることができる。また、重要度は、講師の人気度、講義方法などから定めてもよい。
【０１０５】
図５は、図４において説明したメタ内容記述情報の記述例を示す図である。本実施の形態においては、メタ内容記述情報は、ＭＰＥＧ−７（マルチメディアコンテンツの記述インターフェース（Ｍｕｌｔｉｍｅｄｉａ  Ｃｏｎｔｅｎｔ  Ｄｅｓｃｒｉｐｔｉｏｎ  Ｉｎｔｅｒｆａｃｅ））により記述されている。ここで、ＭＰＥＧ−７とは、動画や音声などのマルチメディアコンテンツを有効に検索するための記述方法の標準技術である。ＭＰＥＧ−７により記述することにより、コンテンツ要素の抽出および検索を容易に行うことができる。
【０１０６】
図６および図７は、コンテンツデータ２００，２５０，２６０と教育カリキュラム４００との関係を模式的に示している。教育カリキュラムは、教育課題に基づいてどのように知識を積み上げていくかを定義したデータであって、そのデータ構造は予め定義されている。本実施の形態における教育カリキュラムは、ツリー構造で構成されている。図６に示すインターネット関連の教育カリキュラム４００は、第１階層４１０、第２階層４２０、および第３階層４３０からなる３階層構造を有している。
【０１０７】
本実施の形態においては、学習項目「インターネット」に対して各コンテンツ２００、２５０、２６０の全体が対応付けられている。そして、さらに下位の階層における例えばＴＣＰ／ＩＰに対しては、コンテンツ２００に含まれるコンテンツ要素２２０ｃ、コンテンツ２５０に含まれるコンテンツ要素２５０ｂ、およびコンテンツ２６０に含まれるコンテンツ要素２６０ｃが対応付けられている。さらに各コンテンツ要素には、メタ内容記述情報が対応付けられている。
【０１０８】
このように、各コンテンツおよびこれらを構成する各コンテンツ要素を、ｅラーニングの教育カリキュラムの単方向または双方向のリンクによって関連付けて管理している。従って、教育カリキュラム決定部１２０は、この教育カリキュラム４００に沿って、コンテンツに含めるべき基本的なコンテンツまたはコンテンツ要素を決定することができる。また、このような教育カリキュラムを定義した構造を用意することにより、カリキュラムの追加、修正などのメンテナンスが容易となる。
【０１０９】
なお、教育カリキュラムの各項目にも、重要度などのメタ内容記述情報が付加されている。また各項目には、確認試験として複数の問題が付加されている。さらに、各問題には、その知識レベルや重要度、受験が必須であるかなどの情報が定義されている。
【０１１０】
また、教育カリキュラムは、学習レベルに沿って構成されているので、教育カリキュラムに沿ってコンテンツを構成することにより、レベルに沿って学習内容の難易度を徐々に上げていく構成にすることができる。従って、学習に適したコンテンツを再構成することができる。
【０１１１】
図８は、利用者ＤＢ１１に格納されている利用者関連情報のデータ構成を模式的に示す図である。利用者ＤＢ１１は、利用者ＩＤに対応付けて、利用者関連情報として、学習レベル、受講記録、および各項目に対応付けられている確認試験に対する受験記録などが格納されている。受講記録には、利用者が受講した項目、受講した日時等が含まれている。
【０１１２】
このように、利用者ＤＢ１１には、各利用者に関する情報が格納されているので、利用者ＤＢ１１に格納されている利用者情報に基づいてコンテンツに含めるべきコンテンツ要素を決定することにより、より利用者に適したパーソナルな教材を再構成することができる。
【０１１３】
なお、利用者ＤＢ１１は、これ以外にも、例えば、利用者が興味を持っている項目に関する情報、利用者の趣味、職業、年齢などの個人情報を、利用者関連情報として格納してもよい。
【０１１４】
以下、コンテンツ管理システム１がコンテンツを再構成するときの処理について説明する。まず、利用者は、利用者端末２０の表示部２２において、コンテンツ要求を入力する。ここで、コンテンツ要求とは、具体的には、受講したいテーマなどである。図９および図１０はそれぞれ、このとき表示部２２に表示される第１の入力画面４１０および第２の入力画面４２０を示している。
【０１１５】
図９に示す第１の入力画面４１０には、利用者ＩＤ情報、受講希望項目、希望講義、および希望講師それぞれを入力する入力欄４１１，４１２，４１３，４１４が設けられており、利用者は、この欄に希望事項を入力することができる。
【０１１６】
また、図１０に示す第２の入力画面４２０には、「基礎知識として知りたい／より実践的に知りたい」、「時間をかけて学びたい／短時間で学びたい」などの択一選択ボタン４２１，４２２が表示されている。また、時間を指定したい場合には、入力欄４２３において時間を直接指定することもできる。さらに、「新しい情報が追加されていたら提供して欲しい」、「確認テストを受けたい」などの希望を入力する選択ボタン４２４，４２５が表示されている。利用者は、この画面において希望に合ったボタンをチェックすることができる。
【０１１７】
表示部２２において、利用者からの入力が完了すると、第１の入力画面４１０および第２の入力画面４２０において利用者から入力された情報に基づいてコンテンツ管理装置１０に送信すべき受講希望情報が生成される。そして、生成された受講希望情報が、ネットワーク３０を介してコンテンツ管理装置１０に送信される。
【０１１８】
以下、コンテンツ管理装置１０が利用者端末２０から受講希望情報を受信した場合におけるコンテンツ管理装置１０の処理について説明する。図１１は、コンテンツ管理装置１０の処理を示すフローチャートである。
【０１１９】
コンテンツ管理装置１０の取得部１２６が受講希望を受信すると（ステップＳ１００）、取得部１２６は、受講希望を教育カリキュラム決定部１２０および利用者関連情報特定部１２２に送る。そして、教育カリキュラム決定部１２０は、コンテンツＤＢ１２に格納されている教育カリキュラムに基づいて、利用者に提供すべきコンテンツに含めるべきコンテンツ要素およびこのコンテンツ要素の順番、すなわち学習の道のりを決定する（ステップＳ１０２）。なお、この場合、所定のテーマに最短で到達することのできる道のりを決定する。
【０１２０】
例えば、プロトコルについてのコンテンツを要求された場合には、図６に示したツリー構造に沿って、「ＴＣＰ／ＩＰ」、「インターネット端末」、「アプリケーション」、「インターネット広告」、「バックボーンネットワーク」、「電子商取引」、及び「プロトコル」の順の道のりを決定する。
【０１２１】
次に、利用者関連情報特定部１２２は、コンテンツＤＢ１２において、受講希望に示される利用者ＩＤに対応付けられている利用者関連情報を特定する（ステップＳ１０４）。次に、コンテンツ要素抽出部１１０は、教育カリキュラム決定部１２０が決定した学習の道のり、および利用者関連情報特定部１２２が特定した利用者関連情報に基づいて、コンテンツＤＢ１２からコンテンツに含めるべきコンテンツ要素を抽出する（ステップＳ１０６）。なお、このとき、コンテンツ要素抽出部１１０は、互いに異なる複数のコンテンツそれぞれからコンテンツ要素を抽出する。次に、教材再構成部１１４教材再構成部１１４は、コンテンツ要素抽出部１１０が抽出したコンテンツ要素を教育カリキュラム決定部１２０が決定した道のりに沿って再構成する（ステップＳ１１０）。
【０１２２】
図１２は再構成されたコンテンツの一例を示す。図１２（Ａ）は、教材再構成部１１４が再構成したコンテンツを示し、図１２（Ｂ）は、利用者の受講記録の一部を示している。図１２（Ａ）に示すように、プロトコルを要求する受講希望を取得した場合には、プロトコルまでの道のりが決定される。しかし、図１２（Ｂ）に示すように、この利用者は既に「ＴＣＰ／ＩＰ」、「アプリケーション」の下位層にある「ファイル転送」、「Ｐ２Ｐ」について受講済みである。このため、これらのコンテンツ要素を再構成コンテンツに含めるべきコンテンツ要素から除外している。このように、受講希望を取得した時点でコンテンツを再構成するので、受講希望を取得する毎に、その時点において各利用者に希望に最も合致するコンテンツを再構成することができる。
【０１２３】
再び、説明を図１１に戻す。コンテンツが作成されると、課金部１１６は、教材再構成部１１４が再構成したコンテンツ要素それぞれに対応付けられている提供料金から、再構成したコンテンツの料金を集計する（ステップＳ１１２）。具体的には、課金部１１６は、各コンテンツ要素の料金を加算して、再構成したコンテンツの料金とする。
【０１２４】
次に、教材提示部１１８は、教材再構成部１１４が再構成したコンテンツのプログラム及び料金を示す受講カリキュラム表示情報を作成し、作成した受講カリキュラム表示情報を利用者端末２０に送信する（ステップＳ１１４）。このとき、表示部２２は、受信した受講カリキュラム表示情報を表示部２２に表示する。
【０１２５】
図１３は、ステップＳ１１４において表示部２２に表示される受講カリキュラム表示情報４５０を示す。受講カリキュラム表示情報４５０には、受講カリキュラム４５０、すなわちコンテンツに含まれるコンテンツ要素名がその構成順に沿って表示されている。さらに各コンテンツの再生時間も表示される。利用者は、この画面により受講カリキュラムの内容を確認することができる。
【０１２６】
さらに変更を希望する場合には、受講カリキュラム表示情報４５０に含まれる「変更希望あり」の選択ボタン４５２が表示されており、これを選択することにより、受講カリキュラムの内容を変更することができる。また、受講カリキュラム表示情報４５０には、「確定」ボタン４５４、および「料金情報」ボタン４５６が表示されている。利用者が「確定」ボタン４５４を選択すると、コンテンツ管理装置１０は、この受講カリキュラムのコンテンツを要求する旨を示す提供要求を利用者端末２０から受信し、引き続きコンテンツを利用者に提供する処理を行う。また、「料金情報」ボタン４５６が選択されると、この受講カリキュラムのコンテンツの提供のための料金が表示部２２に表示される。
【０１２７】
再び、説明を図１１に戻す。ステップＳ１１４において受講カリキュラム表示情報を表示部２２に表示し、これに対して、利用者から受講内容の変更を示す変更要求を受信した場合には（ステップＳ１１６，Ｙｅｓ）、再びステップＳ１００に戻り、利用者からの希望に基づいて抽出すべきコンテンツ要素を再度決定する。
【０１２８】
一方、ステップＳ１１４において表示部２２に表示させた受講カリキュラムに対して、利用者から当該受講カリキュラムに示すコンテンツに対する提供要求を受信した場合には（ステップＳ１２０，Ｙｅｓ）、教材提示部１１８は、ネットワーク３０を介して受講カリキュラムに対応するコンテンツを利用者に提供する（ステップＳ１２２）。この場合、利用者ＤＢ１１は、提供先の利用者についての利用者関連情報を更新する。具体的には、今回提供したコンテンツ要素についての受講記録を追加する（ステップＳ１２４）。
【０１２９】
図１４に更新後の利用者関連情報を示す。このように、利用者にコンテンツが提供される毎に利用者ＤＢ１１の利用者関連情報が更新されるので、コンテンツ要素抽出部１１０は、常に最新の利用者関連情報に基づいて、抽出すべきコンテンツ要素を決定することができる。
【０１３０】
図１１のステップＳ１２４に続き、さらに利用者から提供したコンテンツに関する評価を受信した場合には（ステップＳ１２６）、更新部１２４は、この評価を対応するコンテンツ要素の人気度に反映させる（ステップＳ１２８）。具体的には、例えば、良い評価であった場合には、人気度の値を増加する。このように、利用者からの情報をコンテンツ要素の選択条件にフィードバックすることにより、利用者からの支持の高いコンテンツ要素を利用者に提供することができる。以上で、コンテンツ管理装置１０の処理が終了する。
【０１３１】
図１５は、利用者が、受講したコンテンツに対する評価を入力する評価入力画面４６０を示している。評価入力画面４６０には、各コンテンツ要素に対する評価入力欄が設けられている。利用者は、この画面において、提供された教材を視聴し、「自分の満足のいく内容であった」、「別なコンテンツを視聴したい」などのフィードバック情報を入力することができる。表示部２２は、この画面において利用者から入力された情報に基づいて、評価情報を作成し、評価情報をネットワーク３０を介してコンテンツ管理装置１０に送信する。
【０１３２】
コンテンツ管理装置１０の取得部１２６が評価情報を受信すると、更新部１２４は、評価情報に基づいてコンテンツＤＢ１２においてコンテンツ要素に対応付けられている当該コンテンツ要素の人気度を更新する。コンテンツ管理装置１０は、さらに例えば、「別なコンテンツを視聴したい」旨の希望を受信した場合には、今回提供したコンテンツ要素以外のコンテンツ要素を含むコンテンツを再度再構成し、これを利用者に提供する。
【０１３３】
これ以外にも、評価情報として、例えば、「よくわからなかったので別なコンテンツを視聴したい」などの情報を取得してもよい。
【０１３４】
これにより、利用者の満足度をコンテンツのメタ内容記述情報として持つことが可能となる。また、他のコンテンツ要素の提供を希望する利用者に対しては、今回提供したコンテンツ要素以外のコンテンツ要素を含む別なコンテンツを提供することができるので、利用者の希望に合った教材、すなわちコンテンツを提供することができる。
【０１３５】
なお、本実施の形態においては、利用者から受講希望を取得した時点で、希望に合ったコンテンツを新たに再構成し、再構成したコンテンツを利用者に提供したが、他の例としては、例えば、利用者が、「新しいコンテンツ要素が追加された場合に、新しいコンテンツ要素を取得したい」、または同一のテーマでも「その内容が更新された場合に、更新後のコンテンツ要素を取得したい」、と希望する場合がある。この場合には、例えば、利用者が図１０に示したような入力画面において希望に該当する項目をチェックすることにより、その旨を示す情報がコンテンツ管理装置１０に送信される。そして、コンテンツ管理装置１０は、受信した情報に基づいて、新しいコンテンツ要素が追加される毎に、または対象となるコンテンツ要素が更新される毎に、対象のコンテンツ要素を利用者に提供する。
【０１３６】
次に、図１６を参照しつつ図１１のステップＳ１０６におけるコンテンツ管理装置１０の詳細な処理について説明する。
【０１３７】
まず、コンテンツ要素抽出部１１０は、教育カリキュラム決定部１２０が決定した道のりに対応するコンテンツ要素を特定する（ステップＳ２００）。そして、さらに利用者関連情報特定部１２２が特定した利用者関連情報に基づいて、先に決定したコンテンツ要素のうち除外すべきコンテンツ要素を特定する（ステップＳ２０２）。具体的には、ステップＳ２００において特定したコンテンツ要素に対応付けられているメタ内容記述情報と、利用者関連情報とに基づいて除外すべきコンテンツを特定する。
【０１３８】
例えば、利用者の学習レベルが初級である場合には、学習レベル初級以外に対応付けられているコンテンツ要素を、抽出の対象から除外する。ただし、必須フラグがＯＮになっているコンテンツ要素は除外しない。なお、道のり決定において所定のコンテンツ要素が指定され、当該コンテンツ要素に対する必須フラグがＯＮであり、かつ当該必須フラグＯＮを含むメタ内容記述情報が、複数のコンテンツ要素に対して、１対複数の関係で対応付けられている場合には、これら複数のコンテンツ要素全てを、再構成するコンテンツに含める。これにより、必須として指定された一連のコンテンツ要素を全て再構成すべきコンテンツに含めることができる。
【０１３９】
また、利用者関連情報として格納されている受講記録を参照し、既に利用者に提供済みのコンテンツ要素を除外する。ただし、既に受講済みのコンテンツ要素であっても、提供日時以降に更新されている場合、更新後の情報は利用者に提供されてない。従って、この場合には、このコンテンツ要素は除外しない。
【０１４０】
例えば、教育カリキュラム決定部１２０が決定した道のりに、「ＴＣＰ／ＩＰ」がコンテンツ要素として含まれている場合には、さらに「ＴＣＰ／ＩＰ」が、コンテンツＤＢ１２において提供済みコンテンツ要素として利用者ＩＤに対応付けられているか否かを判断する。そして、利用者ＩＤに対応付けられている場合には、コンテンツＤＢ１２において、さらに利用者に提供した提供日時を参照する。そして、「ＴＣＰ／ＩＰ」の利用者への提供日時が、「ＴＣＰ／ＩＰ」にコンテンツ要素関連情報として対応付けられている更新日時以前の日時である場合には、更新内容を利用者に提供するため、再度ＴＣＰ／ＩＰのコンテンツ要素を抽出する。
【０１４１】
さらに利用者からコンテンツ要素を直接指定する指定情報を取得した場合には（ステップＳ２０４，Ｙｅｓ）、コンテンツ要素抽出部１１０は、教育カリキュラム決定部１２０が決定した道のりに応じて定まるコンテンツ要素および利用者関連情報特定部１２２が特定した利用者関連情報に基づいて定まるコンテンツ要素にかかわらず、コンテンツに含めるべきコンテンツ要素として抽出する（ステップＳ２０６）。コンテンツ要素抽出部１１０がコンテンツに含めるべきコンテンツ要素を全て抽出すると、類似度判断部１１２は、抽出されたコンテンツ要素同士の類似度を判断する（ステップＳ２０８）。
【０１４２】
類似度判断部１１２が、２以上のコンテンツ要素の類似度が高いと判断した場合には（ステップＳ２１０，Ｙｅｓ）、これらのコンテンツ要素のうち一のコンテンツ要素のみをコンテンツに含めることとする（ステップＳ２１２）。ここで、類似度の判断とは、例えば、各コンテンツ要素に含まれている静止画データの画像マッチングにより行ってもよい。
【０１４３】
また、このとき、いずれのコンテンツ要素をコンテンツに含めるかは任意に定める。例えば、２つのコンテンツ要素のうち人気度の高いコンテンツ要素を含めることとしてもよく、また他の例としては、重要度の高いコンテンツ要素を含めることとしても良い。また例えば、再生時間に応じてコンテンツ要素を含めることとしてもよい。具体的には、利用者ができるだけ短時間で学びたいと希望している場合には、再生時間の短いコンテンツ要素を含めることとしてもよい。
【０１４４】
さらに、利用者から確認テストの受験希望を取得している場合には（ステップＳ２１４，Ｙｅｓ）、各コンテンツ要素に対応付けられている確認テストを抽出する（ステップＳ２１６）。
【０１４５】
この際、利用者の受講希望情報と受験記録に基づいて確認テストに含める問題を決定する。例えば、学習レベルに基づいて問題のレベルを決定する。このように、確認テストは、利用者の学習レベルに基づいて再構成されるので、利用者の必要とする知識の確認が可能となる。
【０１４６】
他の例としては、利用者関連情報として達成希望レベルを予め格納しておき、達成希望レベルに基づいて、確認テストを再構成してもよい。
【０１４７】
また、各問題の属性に「必須」が設定されていたときには、その問題を省略せずに問題を再構成する。また、受験記録に基づいて、過去に受験した問題は、確認テストの対象から除外する。
【０１４８】
図１７は、実施の形態１にかかるコンテンツ管理装置１０のハードウェア構成を示す図である。コンテンツ管理装置１０は、ハードウェア構成として、図３を参照しつつ説明したコンテンツ管理装置１０におけるコンテンツ管理プログラムなどが格納されているＲＯＭ５２、ＲＯＭ５２内のプログラムに従ってコンテンツ管理装置１０の各部を制御し、コンテンツ管理処理等を実行するＣＰＵ５１、ワークエリアが形成され、コンテンツ管理装置１０の制御に必要な種々のデータが記憶されているＲＡＭ５３、ネットワークに接続して、通信を行う通信Ｉ／Ｆ５７、および各部を接続するバス６２、データベース１１，１２を制御するデータベース（ＤＢ）制御ユニット５８を備えている。
【０１４９】
先に述べたコンテンツ管理装置１０におけるコンテンツ管理にかかる処理を実行するコンテンツ管理プログラムは、インストール可能な形式又は実行可能な形式のファイルでＣＤ−ＲＯＭ、フロッピー（Ｒ）ディスク（ＦＤ）、ＤＶＤ等のコンピュータで読み取り可能な記録媒体に記録されて提供される。
【０１５０】
また、本実施形態の障害監視プログラムを、インターネット等のネットワークに接続されたコンピュータ上に格納し、ネットワーク経由でダウンロードさせることにより提供するように構成しても良い。
【０１５１】
本実施形態にかかる障害監視プログラムは、複合機１において上記記録媒体から読み出して実行することにより主記憶装置上にロードされ、上記ソフトウェア構成で説明した各部が主記憶装置上に生成されるようになっている。
【０１５２】
以上、実施の形態１にかかるコンテンツ管理システム１について説明したが、上記実施の形態に多様な変更または改良を加えることができる。そうした変更例を図１８に示す。図１８は、他の例にかかる教育カリキュラムのデータ構成を示す。本例にかかるコンテンツ要素のカリキュラムは、実施の形態１において説明した教育カリキュラムのデータと同様にツリー構造で構成されているが、学習レベルに基づいて分類されている点で異なっている。このように、学習レベルに基づいて構成することにより、レベルに応じたコンテンツの再構成を容易に行うことができる。
【０１５３】
（実施の形態２）
図１９は、実施の形態２にかかるコンテンツ管理システム１の全体構成を示している。実施の形態２にかかるコンテンツ管理システム１は、コンテンツＤＢ１２を有するコンテンツ管理装置１０と、第１のネットワーク３０を介してコンテンツ管理装置１０と通信可能であって、利用者ＤＢ１１を備えたコンテンツ提供装置４０と、第２のネットワーク５０を介してコンテンツ提供装置４０と通信可能な利用者端末２０ａ，２０ｂとを備えている。
【０１５４】
実施の形態２においては、コンテンツ提供装置４０は、実施の形態１において図３を参照しつつ説明した処理部１００の機能を有し、コンテンツ管理装置１０は、処理部１００の機能を有さない。すなわち、処理部１００は、コンテンツ管理装置１０にかえて、コンテンツ提供装置４０に含まれる。この点で、実施の形態２にかかるコンテンツ管理システム１は、コンテンツ管理装置１０が処理部１００を有する実施の形態１にかかるコンテンツ管理システム１と異なる。
【０１５５】
より具体的には、例えば、第１のネットワーク３０をインターネットとし、第２のネットワーク５０を社内ＬＡＮとしてもよい。
【０１５６】
実施の形態２にかかるコンテンツ管理システム１におけるコンテンツ管理装置１０は、処理部１００を有さないので、コンテンツＤＢ１２に格納されているコンテンツを管理するのみであり、コンテンツ提供装置４０が、コンテンツの再構成などの処理を行い、再構成されたコンテンツを利用者端末２０に提供する。
【０１５７】
また、実施の形態２にかかるコンテンツ管理システム１においては、コンテンツ提供装置４０が利用者ＤＢ１１を備えているので、コンテンツ提供装置４０は、当該利用者ＤＢ１１に格納されている利用者関連情報に基づいてコンテンツ要素を抽出する。コンテンツ管理装置１０に利用者ＤＢ１１が設けられている場合には、コンテンツ提供装置４０は、第１のネットワーク３０を介して利用者関連情報を取得する必要がある。このため、第１のネットワーク３０が公衆回線である場合には、利用者関連情報が外部に漏洩するおそれがある。しかし、実施の形態２によれば、利用者関連情報を第１のネットワーク３０を介して送受信する必要がないため、情報が漏洩する心配がない。
【０１５８】
以下、図２０を参照しつつ、実施の形態２にかかるコンテンツ管理システム１が利用者にコンテンツを提供するときの処理について説明する。但し、図２０において、実施の形態１において図１１を参照しつつ説明した処理と同様の処理ステップ番号が付された処理は、図１１を参照しつつ説明した実施の形態１にかかる処理部１００における処理と同様であるので説明を省略する。
【０１５９】
ステップＳ１０４において、教育カリキュラムの道のりが決定すると、ステップＳ１０６に進みコンテンツ要素が決定する。なお、本実施の形態におけるステップＳ１０６においては、実施の形態１におけるステップＳ１０６と異なり、再構成するコンテンツに含めるべきコンテンツ要素の条件を決定するのみで、決定したコンテンツ要素の抽出を行わない。そして、コンテンツ提供装置４０は、ステップＳ３００において、利用者に提供すべきコンテンツに含めるべきコンテンツ要素を決定するとネットワーク３０を介してコンテンツ管理装置１０に対して決定したコンテンツ要素を要求する（ステップＳ３００）。
【０１６０】
コンテンツ管理装置１０は、コンテンツ要素の要求を受信すると、指定されたコンテンツ要素をコンテンツＤＢ１２から抽出する（ステップＳ３０２）。次に、抽出したコンテンツ要素をネットワーク３０を介してコンテンツ提供装置４０に送信する（ステップＳ３０４）。コンテンツ提供装置４０は、コンテンツ管理装置１０からコンテンツ要素を受信すると、受信したコンテンツ要素を再構成して、利用者に提供すべきコンテンツ要素を提供する。
【０１６１】
また、コンテンツ提供装置１０は、提供したコンテンツに対する評価情報を利用者から取得した場合には（ステップＳ１２６）、評価情報をコンテンツ提供装置４０に送信する（ステップＳ３１０）。コンテンツ管理装置１０は、評価情報を受信すると、評価情報に基づいてコンテンツＤＢ１２１１を更新する（ステップＳ３１２）。
【０１６２】
（実施の形態３）
次に、実施の形態３にかかるコンテンツ管理システム１について説明する。図２１は、実施の形態３にかかるコンテンツ管理システム１の全体構成を示している。実施の形態３にかかるコンテンツ管理システム１の全体構成は、実施の形態２にかかるコンテンツ管理システム１の全体構成と同様である。ただし、実施の形態３においては、コンテンツ管理装置１０が、処理部１００の利用者関連情報特定部１２２以外の機能を有している。また、コンテンツ提供装置４０は、処理部１００の機能のうち利用者関連情報特定部１２２の機能のみを有している。この点で、実施の形態３にかかるコンテンツ管理システム１は、コンテンツ提供装置４０が処理部１００の機能を有する、実施の形態２にかかるコンテンツ管理システム１と異なっている。
【０１６３】
また、コンテンツ提供装置４０が利用者ＤＢ１１を有しているので、コンテンツ提供装置４０の管理者が適宜利用者ＤＢ１１の内容を更新することができる。
【０１６４】
図２２は、実施の形態３にかかるコンテンツ管理システム１において、利用者にコンテンツを提供するときの処理を示すフローチャートである。図２２において、実施の形態１において図１１を参照しつつ説明した処理と同様の番号が付された処理は、図１１を参照しつつ説明した実施の形態１にかかる処理部１００における処理と同様である。
【０１６５】
まず、利用者からの受講希望が第２のネットワーク５０を介してコンテンツ提供装置４０に送信される。コンテンツ提供装置４０は、受講希望を受信すると（ステップＳ１００）、第１のネットワーク３０を介して、この受信希望をコンテンツ管理装置１０に送信する（ステップＳ４００）。
【０１６６】
次に、コンテンツ提供装置４０は、受講希望に含まれる利用者ＩＤに基づいて、利用者ＤＢ１１から利用者関連情報を特定する（ステップＳ１０４）。そして、特定した利用者関連情報をコンテンツ管理装置１０に送信する（ステップＳ４０２）。
【０１６７】
コンテンツ管理装置１０は、受信した受講希望および利用者関連情報に基づいてコンテンツ要素を特定し、特定したコンテンツ要素からコンテンツを再構成する（ステップＳ１０２からステップＳ１１２）。そして、作成した受講カリキュラム表示情報をコンテンツ提供装置４０に送信する（ステップＳ４１０）。
【０１６８】
また、コンテンツ提供装置４０は、利用者からコンテンツを要求する提供要求を受信すると（ステップＳ１２０，Ｙｅｓ）、提供要求をコンテンツ管理装置１０に送信し（ステップＳ４２０）、指定されたコンテンツ、すなわち受講カリキュラムに含まれるコンテンツを受信する（ステップＳ４２２）。コンテンツ提供装置４０は、受信したコンテンツを利用者に提供する（ステップＳ１２２）。
【０１６９】
以上の、実施の形態１から実施の形態３において説明したように、コンテンツ管理システム１のシステムの構成の自由度は高く、実施の形態に限定されるものではない。
【０１７０】
（実施の形態４）
次に、実施の形態４にかかるコンテンツ管理システム１について説明する。図２３は、実施の形態４にかかるコンテンツ管理システム１の全体構成を示している。実施の形態４にかかるコンテンツ管理システム１の全体構成は、実施の形態１にかかるコンテンツ管理システム１の全体構成と同様である。ただし、実施の形態４においては、実施の形態１においてコンテンツ管理装置１０が有していた処理部１００の機能は、利用者端末２０が有している。この点で、本実施の形態におけるコンテンツ管理システム１は、実施の形態１にかかるコンテンツ管理システム１と異なっている。実施の形態４にかかるコンテンツ管理システム１は、コンテンツＤＢ１２を有するコンテンツ管理装置１０と、第１のネットワークを介してコンテンツ管理装置１０と通信可能な利用者端末２０ａ，２０ｂとを備えている。
【０１７１】
実施の形態４における処理部１００の機能は、例えば、処理部１００の機能を実現するコンテンツ管理プログラムを格納した、着脱可能な記録媒体５００により提供される。すなわち、利用者端末２０に記録媒体５００に格納されたコンテンツ管理プログラムをインストールする。ここで、記録媒体５００は、例えば、ＣＤ−ＲＯＭ、ＤＶＤなどであってもよい。
【０１７２】
また、実施の形態４においては、各利用者端末２０が利用者情報格納部２３を有している。利用者情報格納部２３は、各利用者端末２０を利用する利用者の利用者関連情報を格納する。なお、利用者端末２０が複数の利用者に利用される場合には、利用者ＩＤに対応付けて、各利用者の利用者関連情報を格納する。
【０１７３】
本実施の形態における利用者端末２０の処理部１００における処理は、実施の形態１において説明したコンテンツ管理装置１０における処理とほぼ同様である。なお、実施の形態４においては、利用者端末２０は、ネットワーク３０を介してコンテンツ要素を取得する。また、利用者端末２０においては、利用者ＤＢ１１にかえて、利用者情報格納部２３に格納されている利用者関連情報に基づいて、コンテンツ要素を決定する。
【０１７４】
（実施の形態５）
次に、図２４を参照しつつ、実施の形態５にかかるコンテンツ管理システム１について説明する。実施の形態５にかかるコンテンツ管理システム１は、実施の形態４において説明した利用者端末２０において実現される。但し、実施の形態５においては、利用者端末に格納すべき記録媒体５００が、コンテンツ管理プログラム５１２に加えて、さらにコンテンツを格納するコンテンツ格納部５１４を有している。すなわち、実施の形態５にかかる利用者端末２０は、記録媒体５００に格納されたコンテンツからコンテンツ要素を抽出する。この点で、実施の形態５にかかる利用者端末２０は、ネットワーク３０を介してコンテンツ要素を取得する実施の形態４にかかる利用者端末２０と異なる。
【０１７５】
【発明の効果】
以上説明したように、請求項１にかかる発明によれば、コンテンツ要求情報に基づいて抽出されたコンテンツ要素から新たなコンテンツを再構成するので、利用者が必要とするコンテンツ要素のみを含むコンテンツ再構成することができる。従って、利用者の希望に添ったコンテンツを利用者に提供することができる。また、コンテンツのデータ容量を最低限に抑えることができるので、効率的にコンテンツを提供することができるという効果を奏する。
【０１７６】
さらに、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０１７７】
また、請求項２にかかる発明によれば、コンテンツ再構成手段は、様々なバリエーションのコンテンツを作成することができるので、利用者の希望に合ったコンテンツを再構成することができるという効果を奏する。
【０１７８】
また、請求項３にかかる発明によれば、複数のコンテンツを格納するコンテンツ格納手段をさらに備えているので、コンテンツ再構成手段は、コンテンツ格納手段に格納されているコンテンツを用いてコンテンツを再構成することができるという効果を奏する。
【０１７９】
また、請求項４にかかる発明によれば、コンテンツ要素に対応付けられているコンテンツ要素関連情報に基づいて、コンテンツ要素を抽出するか否かを判断することができるので、自動的にかつ効率的にコンテンツ要素を抽出することができるという効果を奏する。
【０１８０】
また、請求項５にかかる発明によれば、コンテンツ要素抽出手段は、コンテンツ要素のジャンルに基づいてコンテンツを抽出することができるので、利用者の希望に合ったジャンルのコンテンツ要素を抽出することができる。従って、利用者の希望に合ったコンテンツを再構成することができるという効果を奏する。
【０１８１】
また、請求項６にかかる発明によれば、コンテンツ要素抽出手段は、コンテンツ要素の重要度に基づいてコンテンツ要素を抽出することができるので、利用者の希望に合わせて重要なコンテンツ要素のみを含めたコンテンツを再構成することができるという効果を奏する。
【０１８２】
また、請求項７にかかる発明によれば、コンテンツ要素抽出手段は、コンテンツ要素の人気度に基づいてコンテンツ要素を抽出することができるので、利用者の間で好評なコンテンツ要素を抽出することができ、コンテンツ再構成手段は、人気度の高いコンテンツ要素を含むコンテンツを再構成することができるという効果を奏する。
【０１８３】
また、請求項８にかかる発明によれば、コンテンツ要素抽出手段は、演者の人気度に基づいてコンテンツ要素を抽出することができるので、利用者の間で好評な演者のコンテンツ要素を抽出することができるので、コンテンツ再構成手段は、人気の高い演者に対するコンテンツ要素を含むコンテンツを再構成することができるという効果を奏する。
【０１８４】
また、請求項９にかかる発明によれば、コンテンツ要素抽出手段は、コンテンツを提供すべき利用者の利用者関連情報に基づいて抽出すべきコンテンツ要素を決定するので、利用者の希望に合ったコンテンツ要素を抽出することができるという効果を奏する。
【０１８５】
また、請求項１０にかかる発明によれば、コンテンツ要素抽出手段は、利用者に学習に関するコンテンツを提供する場合には、利用者の学習レベルに合ったコンテンツ要素を抽出することができるという効果を奏する。
【０１８６】
また、請求項１１にかかる発明によれば、コンテンツ要素抽出手段は、コンテンツ要素を抽出する時点で、既に利用者に提供したことのあるコンテンツ要素については、提供日時以降に更新されている場合にのみ、利用者に提供すべく抽出するので、利用者に対して、同一のコンテンツ要素を含むコンテンツを提供することがない。このように、効率的にコンテンツを提供することができるという効果を奏する。
【０１８７】
また、請求項１２にかかる発明によれば、コンテンツ要素抽出手段は、利用者に既に提供したことのあるコンテンツ要素以外のコンテンツ要素を抽出するので、効率的にコンテンツを提供することができるという効果を奏する。
【０１８８】
また、請求項１３にかかる発明によれば、コンテンツを提供された利用者からの評価を各コンテンツ要素にフィードバックすることができるので、利用者からの評価を反映させて、より利用者の希望に合ったコンテンツ要素を抽出して、利用者に提供することができるという効果を奏する。
【０１８９】
また、請求項１４にかかる発明によれば、コンテンツ要素抽出手段は、利用者情報格納手段に格納されている利用者関連情報に基づいて、より利用者の希望に合ったコンテンツ要素を抽出することができるという効果を奏する。
【０１９０】
また、請求項１５にかかる発明によれば、コンテンツ要素抽出手段は、コンテンツ要素の更新日時に基づいて、コンテンツ要素を抽出することができる。すなわち、コンテンツ要素抽出手段は、コンテンツ要素が比較的最近更新されている場合にのみ、当該コンテンツ要素を利用者に提供することができるので、利用者に最新のコンテンツ要素を提供することができるという効果を奏する。
【０１９１】
また、請求項１６にかかる発明によれば、コンテンツ要素抽出手段は、コンテンツ要素の作成日時に基づいて、コンテンツ要素を抽出することができる。すなわち、コンテンツ要素抽出手段は、コンテンツ要素が比較的最近作成されている場合にのみ、当該コンテンツ要素を利用者に提供することができるので、利用者に最近のコンテンツ要素を提供することができるという効果を奏する。
【０１９２】
また、請求項１７にかかる発明によれば、コンテンツ要素抽出手段は、利用者に提供すべきコンテンツの総再生時間が予め定められているときには、各コンテンツ要素の再生時間と、再構成するコンテンツの総再生時間とに基づいて抽出すべきコンテンツ要素を決定することができるので、予め定められた時間内に利用者の希望に合ったコンテンツ要素を過不足なく含めるべく、抽出すべきコンテンツ要素を決定することができるという効果を奏する。
【０１９３】
また、請求項１８にかかる発明によれば、コンテンツ要素抽出手段は、指定取得手段が取得した指定情報に示されるコンテンツ要素を抽出することができるので、利用者の希望通りのコンテンツ要素を含むコンテンツを再構成することができるという効果を奏する。
【０１９４】
また、請求項１９にかかる発明によれば、コンテンツ再構成手段は、予め定められた構成順に基づいてコンテンツ要素を再構成するので、自動的に好ましい構成順にコンテンツ要素を再構成することができるという効果を奏する。
【０１９５】
また、請求項２０にかかる発明によれば、コンテンツ再構成手段は、コンテンツ要素抽出手段が抽出したコンテンツ要素を、学習レベル順に再構成するので、利用者は、順番に沿って閲覧等すればよい。このように、利便性のよいコンテンツを再構成することができるという効果を奏する。
【０１９６】
また、請求項２１にかかる発明によれば、コンテンツ再構成手段は、２つのコンテンツ要素が類似していると判断した場合には、２つのコンテンツ要素のうちいずれか一方のコンテンツ要素のみを新たなコンテンツに含めるので、重複した内容を含む、冗長なコンテンツを利用者に提供するのを避けることができる。従って、利用者は、効率的に必要な情報のみを取得することができるという効果を奏する。
【０１９７】
また、請求項２２にかかる発明によれば、コンテンツ要素には課金情報が対応付けられているので、各課金情報に基づいて容易にコンテンツ構成手段が再構成したコンテンツの料金を定めることができる。このように、効率的に料金を決定することができるという効果を奏する。
【０１９８】
また、請求項２３にかかる発明によれば、コンテンツは、講演内容情報や、メタ内容記述情報を含んでいるので、コンテンツ要素抽出手段は、これらの情報を有効に利用して、効率的にコンテンツ要素を抽出することができるという効果を奏する。
【０１９９】
また、請求項２４にかかる発明によれば、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０２００】
また、請求項２５にかかる発明によれば、コンテンツ要素抽出手段は、利用者情報格納手段に格納されている利用者関連情報に基づいて、より利用者の希望に合ったコンテンツ要素を抽出することができるという効果を奏する。
【０２０１】
また、請求項２６にかかる発明によれば、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０２０２】
また、請求項２７にかかる発明によれば、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０２０３】
また、請求項２８にかかる発明によれば、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０２０４】
また、請求項２９にかかる発明によれば、コンテンツのデータ容量を最低限に抑えることができるので、効率的にコンテンツを提供することができる。また、コンテンツ要求を取得した時点ではじめてコンテンツ要素を抽出し、コンテンツを再構成するので、コンテンツ要素が更新されている場合であっても、常に更新後のコンテンツ要素を含むコンテンツを再構成することができるという効果を奏する。
【０２０５】
また、請求項３０にかかる発明によれば、コンテンツデータは、講演内容情報や、メタ内容記述情報を含んでいるので、これらの情報を有効に利用して、効率的にコンテンツ要素を抽出し、抽出したコンテンツ要素から新たにコンテンツを再構成することができるという効果を奏する。
【図面の簡単な説明】
【図１】実施の形態１にかかるコンテンツ管理システムの全体構成を示す図である。
【図２】実施の形態１の利用者端末の表示部に表示されるコンテンツを示す図である。
【図３】実施の形態１のコンテンツ管理装置におけるコンテンツ管理に関する処理を行う処理部の機能構成を示すブロック図である。
【図４】コンテンツＤＢに格納されているコンテンツのデータ構成を模式的に示す図である。
【図５】図４において説明したメタ内容記述情報の記述例を示す図である。
【図６】コンテンツデータと教育カリキュラムとの関係を模式的に示す図である。
【図７】教育カリキュラムと確認試験との関係を模式的に示す図である。
【図８】利用者ＤＢに格納されている利用者関連情報のデータ構成を模式的に示す図である。
【図９】利用者端末の表示部に表示される第１の入力画面を示す図である。
【図１０】利用者端末の表示部に表示される第２の入力画面を示す図である。
【図１１】コンテンツ管理装置における処理を示すフローチャートである。
【図１２】再構成されたコンテンツの一例を示す図である。
【図１３】ステップＳ１１４において表示部２２に表示される受講カリキュラム表示情報を示す図である。
【図１４】更新後の利用者関連情報を示す図である。
【図１５】受講したコンテンツに対する評価を入力する評価入力画面を示す図である。
【図１６】図１１のステップＳ１０６におけるコンテンツ管理装置の詳細な処理を示すフローチャートである。
【図１７】実施の形態１にかかるコンテンツ管理装置のハードウェア構成を示す図である。
【図１８】他の例にかかる教育カリキュラムのデータ構成を示す図である。
【図１９】実施の形態２にかかるコンテンツ管理システム全体を示す図である。
【図２０】実施の形態２にかかるコンテンツ管理システム１が利用者にコンテンツを提供するときの処理を示すフローチャートである。
【図２１】実施の形態３にかかるコンテンツ管理システムの全体構成を示す図である。
【図２２】実施の形態３にかかるコンテンツ管理システムにおいて、利用者にコンテンツを提供するときの処理を示すフローチャートである。
【図２３】実施の形態４にかかるコンテンツ管理システムの全体構成を示す図である。
【図２４】実施の形態５にかかる記録媒体の構成を模式的に示す図である。
【符号の説明】
１  コンテンツ管理システム
１０  コンテンツ管理装置
１１  利用者ＤＢ
１２  コンテンツＤＢ
２０ａ，２０ｂ  利用者端末
２２ａ，２２ｂ  表示部
２３  利用者情報格納部
４０  コンテンツ提供装置
５１  ＣＰＵ
５２  ＲＯＭ
５３  ＲＡＭ
５７  通信Ｉ／Ｆ
５８  ＤＢ制御ユニット
６２  バス
１００  処理部
１１０  コンテンツ要素抽出部
１１２  類似度判断部
１１４  教材再編成部
１１６  課金部
１１８  教材提示部
１２０  教育カリキュラム決定部
１２２  利用者関連情報特定部
１２４  更新部
１２６  取得部
【図１】
2004272662.tif 000003
【図２】
2004272662.tif 000004
【図３】
2004272662.tif 000005
【図４】
2004272662.tif 000006
【図５】
2004272662.tif 000007
【図６】
2004272662.tif 000008
【図７】
2004272662.tif 000009
【図８】
2004272662.tif 000010
【図９】
2004272662.tif 000011
【図１０】
2004272662.tif 000012
【図１１】
2004272662.tif 000013
【図１２】
2004272662.tif 000014
【図１３】
2004272662.tif 000015
【図１４】
2004272662.tif 000016
【図１５】
2004272662.tif 000017
【図１６】
2004272662.tif 000018
【図１７】
2004272662.tif 000019
【図１８】
2004272662.tif 000020
【図１９】
2004272662.tif 000021
【図２０】
2004272662.tif 000022
【図２１】
2004272662.tif 000023
【図２２】
2004272662.tif 000024
【図２３】
2004272662.tif 000025
【図２４】
2004272662.tif 000026